(57)【要約】      （修正有）【課題】自動変速機のパワーオンダウンシフトの際に、エンジンが過回転となることによる、部品耐久性の悪化、又は、運転者への違和感を防止又は抑制する。【解決手段】有段変速部のパワーオンダウンシフト時において、ＭＧ２角加速度dωm/dtを目標値に制御するとエンジン回転速度ωeが所定回転速度ωefを超えることが予測される場合には、エンジンパワーＰeが所定パワーＰef以下となるように制限される(つまりエンジントルクＴeが所定トルクＴef以下となるように制限される)ので、エンジン及び第２回転機ＭＧ２を備える車両において、エンジンを過回転させることなくパワーオンダウンシフトを実行させることができる。よって、有段変速部のパワーオンダウンシフトの際に、エンジンが過回転となることによる、部品耐久性の悪化、又は、運転者への違和感を防止又は抑制することができる。【選択図】図８
2018099946.tif 000002
【特許請求の範囲】
【請求項１】
動力源として機能するエンジン及び回転機と、前記動力源と駆動輪との間の動力伝達経路の一部を構成すると共に複数の係合装置が選択的に係合されることで変速が実行される自動変速機と、前記回転機に対して電力を授受する蓄電装置とを備えたハイブリッド車両の、制御装置であって、
前記自動変速機の変速時、前記自動変速機の入力回転部材の回転状態を表す値が目標値となるように、前記エンジンの出力トルクと前記係合装置の伝達トルクとに基づいて前記自動変速機への入力トルクを前記回転機によって制御するハイブリッド制御部と、
前記自動変速機のパワーオンダウンシフト時において、前記自動変速機の入力回転部材の回転状態を表す値が前記目標値となるように制御されると前記エンジンの回転速度が所定回転速度を超えることが予測されるか否かを判定する吹き上がり判定部と、
前記自動変速機のパワーオンダウンシフト時において、前記エンジンの回転速度が前記所定回転速度を超えることが予測される場合には、前記エンジンの出力トルクを所定トルク以下となるように制限する出力制限部と
を、含むことを特徴とするハイブリッド車両の制御装置。
【請求項２】
前記吹き上がり判定部は、前記自動変速機への入力トルクの基になる前記回転機の出力トルクを制限する前記蓄電装置のパワーの制限の状態、前記自動変速機のパワーオンダウンシフト時における前記エンジンの回転速度の変化量、及び車速のうちの少なくとも１つに基づいて、前記エンジンの回転速度が前記所定回転速度を超えることが予測されるか否かを判定することを特徴とする請求項１に記載のハイブリッド車両の制御装置。
【請求項３】
前記所定回転速度は、前記自動変速機のパワーオンダウンシフト後の前記エンジンの回転速度の同期回転速度であることを特徴とする請求項１又は２に記載のハイブリッド車両の制御装置。
【請求項４】
前記出力制限部は、前記自動変速機への入力トルクの基になる前記回転機の出力トルクを制限する前記蓄電装置のパワーの制限の状態、前記自動変速機のパワーオンダウンシフト時における前記エンジンの回転速度の変化量、及び車速のうちの少なくとも１つに基づいて、前記所定トルクを設定することを特徴とする請求項１から３の何れか１項に記載のハイブリッド車両の制御装置。
【請求項５】
前記出力制限部は、前記エンジンの出力トルクの制限を、前記自動変速機のパワーオンダウンシフトに伴う前記自動変速機の入力回転部材の回転速度の変化開始時に開始することを特徴とする請求項１から４の何れか１項に記載のハイブリッド車両の制御装置。
【請求項６】
前記出力制限部は、前記エンジンの出力トルクの制限を、前記自動変速機のパワーオンダウンシフトが完了したときに、又は、前記パワーオンダウンシフトの進行度が所定進行度に到達したときに、又は、前記パワーオンダウンシフトの制御開始時から所定時間経過したときに、又は、前記パワーオンダウンシフトに伴う前記自動変速機の入力回転部材の回転速度の変化開始時から第２所定時間経過したときに、終了することを特徴とする請求項１から５の何れか１項に記載のハイブリッド車両の制御装置。
【請求項７】
前記ハイブリッド車両は、前記エンジンが動力伝達可能に連結された第１回転要素と第１回転機が動力伝達可能に連結された第２回転要素と中間伝達部材が連結された第３回転要素とを有する差動機構を備えるものであり、
前記回転機は、前記中間伝達部材に動力伝達可能に連結された第２回転機であり、
前記自動変速機は、前記中間伝達部材と前記駆動輪との間の動力伝達経路の一部を構成すると共に前記複数の係合装置のうちの所定の係合装置の係合によって複数のギヤ段のうちの何れかのギヤ段が形成される有段変速機であり、
前記蓄電装置は、前記第１回転機及び前記第２回転機の各々に対して電力を授受するものであり、
変速前の前記ギヤ段を形成する前記所定の係合装置のうちの解放側係合装置の解放と変速後の前記ギヤ段を形成する前記所定の係合装置のうちの係合側係合装置の係合とを制御することで前記有段変速機にて形成される前記ギヤ段を切り替える変速制御部を更に備えており、
前記ハイブリッド制御部は、前記有段変速機の変速時、前記第２回転機の角加速度と前記エンジンの角加速度とが各々の目標値となるように、前記エンジンの出力トルクと、前記解放側係合装置及び前記係合側係合装置のうちの変速を進行させる側の変速進行側係合装置の伝達トルクとに基づいて、前記第１回転機の出力トルクと前記第２回転機の出力トルクとを制御することを特徴とする請求項１から６の何れか１項に記載のハイブリッド車両の制御装置。
【発明の詳細な説明】
【技術分野】
【０００１】
本発明は、動力源(エンジン及び回転機)と動力源の動力を伝達する自動変速機とを備えるハイブリッド車両の制御装置に関するものである。
【背景技術】
【０００２】
動力源として機能するエンジン及び回転機と、前記動力源と駆動輪との間の動力伝達経路の一部を構成すると共に複数の係合装置が選択的に係合されることで変速が実行される自動変速機と、前記回転機に対して電力を授受する蓄電装置とを備えたハイブリッド車両の制御装置が良く知られている。例えば、特許文献１に記載されたハイブリッド車両がそれである。この特許文献１には、自動変速機の変速時、自動変速機の入力回転部材の回転状態を表す値である角加速度(特許文献１における第２回転機の角加速度)が目標値となるように、エンジンの出力トルクと係合装置の伝達トルクとに基づいて、自動変速機への入力トルクを回転機(特許文献１における第１回転機及び第２回転機)によって制御することが開示されている。
【先行技術文献】
【特許文献】
【０００３】
【特許文献１】特開２０１４−２２３８８８号公報
【発明の概要】
【発明が解決しようとする課題】
【０００４】
ところで、自動変速機のパワーオンダウンシフト時に、何らかの原因で係合装置の伝達トルクが不足して、自動変速機の入力回転部材の回転状態を表す値が目標値よりも大きくなる(すなわち自動変速機の入力回転部材の回転速度が目標よりも早く上昇する)場合がある。このような場合、自動変速機の入力回転部材の回転状態を表す値が目標値となるように、自動変速機の入力回転部材の回転状態を表す値が目標値通りとされているときの本来の自動変速機への入力トルクよりも、自動変速機への入力トルクが低減される(例えば自動変速機への入力トルクの基になる回転機の出力トルクが低減される)ことになる。このとき、回転機の出力トルクの低減分に応じたパワーは、電力として蓄電装置に充電される。この低減分に応じたパワーに対して蓄電装置の充電可能電力が不足していると、自動変速機の入力回転部材の回転状態を表す値が目標値となるように回転機の出力トルクを十分に低減することができなくなる。蓄電装置の充電可能電力が不足するときには、エンジンの回転速度を持ち上げることによって、自動変速機の入力回転部材の回転状態を表す値が目標値となるように制御する為に低減する必要がある自動変速機への入力トルク分に対して回転機の出力トルクの低減分では低減しきれなかったトルク分に応じた余剰パワーをイナーシャパワーとして消費させることで、自動変速機への入力トルクが必要な分だけ低減されて、自動変速機の入力回転部材の回転状態を表す値が目標値となるように制御することができる。しかしながら、エンジンが過回転となるおそれがあり、部品耐久性の悪化を招いたり、又は、運転者に違和感を与える可能性がある。
【０００５】
本発明は、以上の事情を背景として為されたものであり、その目的とするところは、自動変速機のパワーオンダウンシフトの際に、エンジンが過回転となることによる、部品耐久性の悪化、又は、運転者への違和感を防止又は抑制することができるハイブリッド車両の制御装置を提供することにある。
【課題を解決するための手段】
【０００６】
第１の発明の要旨とするところは、(a) 動力源として機能するエンジン及び回転機と、前記動力源と駆動輪との間の動力伝達経路の一部を構成すると共に複数の係合装置が選択的に係合されることで変速が実行される自動変速機と、前記回転機に対して電力を授受する蓄電装置とを備えたハイブリッド車両の、制御装置であって、(b) 前記自動変速機の変速時、前記自動変速機の入力回転部材の回転状態を表す値が目標値となるように、前記エンジンの出力トルクと前記係合装置の伝達トルクとに基づいて前記自動変速機への入力トルクを前記回転機によって制御するハイブリッド制御部と、(c) 前記自動変速機のパワーオンダウンシフト時において、前記自動変速機の入力回転部材の回転状態を表す値が前記目標値となるように制御されると前記エンジンの回転速度が所定回転速度を超えることが予測されるか否かを判定する吹き上がり判定部と、(d) 前記自動変速機のパワーオンダウンシフト時において、前記エンジンの回転速度が前記所定回転速度を超えることが予測される場合には、前記エンジンの出力トルクを所定トルク以下となるように制限する出力制限部とを、含むことにある。
【０００７】
また、第２の発明は、前記第１の発明に記載のハイブリッド車両の制御装置において、前記吹き上がり判定部は、前記自動変速機への入力トルクの基になる前記回転機の出力トルクを制限する前記蓄電装置のパワーの制限の状態、前記自動変速機のパワーオンダウンシフト時における前記エンジンの回転速度の変化量、及び車速のうちの少なくとも１つに基づいて、前記エンジンの回転速度が前記所定回転速度を超えることが予測されるか否かを判定することにある。
【０００８】
また、第３の発明は、前記第１の発明又は第２の発明に記載のハイブリッド車両の制御装置において、前記所定回転速度は、前記自動変速機のパワーオンダウンシフト後の前記エンジンの回転速度の同期回転速度である。
【０００９】
また、第４の発明は、前記第１の発明から第３の発明の何れか１つに記載のハイブリッド車両の制御装置において、前記出力制限部は、前記自動変速機への入力トルクの基になる前記回転機の出力トルクを制限する前記蓄電装置のパワーの制限の状態、前記自動変速機のパワーオンダウンシフト時における前記エンジンの回転速度の変化量、及び車速のうちの少なくとも１つに基づいて、前記所定トルクを設定することにある。
【００１０】
また、第５の発明は、前記第１の発明から第４の発明の何れか１つに記載のハイブリッド車両の制御装置において、前記出力制限部は、前記エンジンの出力トルクの制限を、前記自動変速機のパワーオンダウンシフトに伴う前記自動変速機の入力回転部材の回転速度の変化開始時に開始することにある。
【００１１】
また、第６の発明は、前記第１の発明から第５の発明の何れか１つに記載のハイブリッド車両の制御装置において、前記出力制限部は、前記エンジンの出力トルクの制限を、前記自動変速機のパワーオンダウンシフトが完了したときに、又は、前記パワーオンダウンシフトの進行度が所定進行度に到達したときに、又は、前記パワーオンダウンシフトの制御開始時から所定時間経過したときに、又は、前記パワーオンダウンシフトに伴う前記自動変速機の入力回転部材の回転速度の変化開始時から第２所定時間経過したときに、終了することにある。
【００１２】
また、第７の発明は、前記第１の発明から第６の発明の何れか１つに記載のハイブリッド車両の制御装置において、前記ハイブリッド車両は、前記エンジンが動力伝達可能に連結された第１回転要素と第１回転機が動力伝達可能に連結された第２回転要素と中間伝達部材が連結された第３回転要素とを有する差動機構を備えるものであり、前記回転機は、前記中間伝達部材に動力伝達可能に連結された第２回転機であり、前記自動変速機は、前記中間伝達部材と前記駆動輪との間の動力伝達経路の一部を構成すると共に前記複数の係合装置のうちの所定の係合装置の係合によって複数のギヤ段のうちの何れかのギヤ段が形成される有段変速機であり、前記蓄電装置は、前記第１回転機及び前記第２回転機の各々に対して電力を授受するものであり、変速前の前記ギヤ段を形成する前記所定の係合装置のうちの解放側係合装置の解放と変速後の前記ギヤ段を形成する前記所定の係合装置のうちの係合側係合装置の係合とを制御することで前記有段変速機にて形成される前記ギヤ段を切り替える変速制御部を更に備えており、前記ハイブリッド制御部は、前記有段変速機の変速時、前記第２回転機の角加速度と前記エンジンの角加速度とが各々の目標値となるように、前記エンジンの出力トルクと、前記解放側係合装置及び前記係合側係合装置のうちの変速を進行させる側の変速進行側係合装置の伝達トルクとに基づいて、前記第１回転機の出力トルクと前記第２回転機の出力トルクとを制御することにある。
【発明の効果】
【００１３】
前記第１の発明によれば、自動変速機のパワーオンダウンシフト時において、自動変速機の入力回転部材の回転状態を表す値を目標値に制御するとエンジンの回転速度が所定回転速度を超えることが予測される場合には、エンジンの出力トルクが所定トルク以下となるように制限されるので、エンジンを過回転させることなくパワーオンダウンシフトを実行させることができる。よって、自動変速機のパワーオンダウンシフトの際に、エンジンが過回転となることによる、部品耐久性の悪化、又は、運転者への違和感を防止又は抑制することができる。
【００１４】
また、前記第２の発明によれば、蓄電装置のパワーの制限の状態、自動変速機のパワーオンダウンシフト時におけるエンジンの回転速度の変化量、及び車速のうちの少なくとも１つに基づいて、エンジンの回転速度が所定回転速度を超えることが予測されるか否かが判定されるので、パワーオンダウンシフト中にエンジンの回転速度が所定回転速度を超えることが適切に予測される。
【００１５】
また、前記第３の発明によれば、前記所定回転速度は、自動変速機のパワーオンダウンシフト後のエンジンの回転速度の同期回転速度であるので、エンジンの回転速度がパワーオンダウンシフト後の同期回転速度を超えるようなエンジンの回転速度の吹き上がりが発生する(つまりエンジンの過回転が発生する)ことが予測されるか否かが判定される。
【００１６】
また、前記第４の発明によれば、蓄電装置のパワーの制限の状態、自動変速機のパワーオンダウンシフト時におけるエンジンの回転速度の変化量、及び車速のうちの少なくとも１つに基づいて、所定トルクが設定されるので、エンジンを過回転させることなくパワーオンダウンシフトを適切に実行させることができる。
【００１７】
また、前記第５の発明によれば、エンジンの出力トルクの制限が、自動変速機のパワーオンダウンシフトに伴う自動変速機の入力回転部材の回転速度の変化開始時に開始されるので、エンジンを過回転させることなくパワーオンダウンシフトを適切に実行させることができる。
【００１８】
また、前記第６の発明によれば、エンジンの出力トルクの制限が、自動変速機のパワーオンダウンシフトが完了したときに、又は、パワーオンダウンシフトの進行度が所定進行度に到達したときに、又は、パワーオンダウンシフトの制御開始時から所定時間経過したときに、又は、パワーオンダウンシフトに伴う自動変速機の入力回転部材の回転速度の変化開始時から第２所定時間経過したときに、終了させられるので、エンジンの過回転が発生する可能性のある間は適切にエンジンの出力トルクが制限される。見方を換えれば、エンジンの過回転が発生する可能性が低くなれば、要求された通りにエンジンの出力トルクが出力され易くなる。
【００１９】
また、前記第７の発明によれば、差動機構と有段変速機とを直列に備えるハイブリッド車両において、エンジンを過回転させることなくパワーオンダウンシフトを実行させることができる。よって、自動変速機のパワーオンダウンシフトの際に、エンジンが過回転となることによる、部品耐久性の悪化、又は、運転者への違和感を防止又は抑制することができる。
【図面の簡単な説明】
【００２０】
【図１】本発明が適用される車両に備えられた車両用駆動装置の概略構成を説明する図であると共に、車両における各種制御の為の制御機能及び制御系統の要部を説明する図である。
【図２】図１で例示した機械式有段変速部の変速作動とそれに用いられる係合装置の作動の組み合わせとの関係を説明する作動図表である。
【図３】電気式無段変速部と機械式有段変速部とにおける各回転要素の回転速度の相対的関係を表す共線図である。
【図４】複数のＡＴギヤ段に複数の模擬ギヤ段を割り当てたギヤ段割当テーブルの一例を説明する図である。
【図５】図３と同じ共線図上に有段変速部のＡＴギヤ段と変速機の模擬ギヤ段とを例示した図である。
【図６】複数の模擬ギヤ段の変速制御に用いる模擬ギヤ段変速マップの一例を説明する図である。
【図７】有段変速部の通常のパワーオンダウンシフト制御を説明する為のタイムチャートの一例を示す図である。
【図８】電子制御装置の制御作動の要部すなわち有段変速部のパワーオンダウンシフトの際にエンジンが過回転となることによる、部品耐久性の悪化、又は、運転者への違和感を防止又は抑制する為の制御作動を説明するフローチャートである。
【図９】図８のフローチャートに示す制御作動を実行した場合のタイムチャートの一例を示す図である。
【図１０】有段変速部のパワーオンダウンシフト時にバッテリの充電制限があるときの制御(比較例)を説明する為のタイムチャートの一例を示す図である。
【図１１】本発明が適用される車両に備えられた動力伝達装置の概略構成を説明する図であって、図１とは別の車両を説明する図である。
【発明を実施するための形態】
【００２１】
本発明の実施形態において、回転部材(例えば前述の、エンジン、回転機、第１回転機、第２回転機、差動機構の各回転要素、中間伝達部材、自動変速機の各回転要素など)の回転状態を表す値としては、例えば回転部材の回転速度ω、回転部材の角加速度dω/dtなどである。回転部材の回転速度ωは回転部材の角速度に対応するものであり、又、回転部材の角加速度dω/dtは回転速度ωの時間変化率すなわち時間微分であって回転速度ωの変化速度であり、数式中においては角加速度dω/dtをωのドットで表すこともある。
【００２２】
以下、本発明の実施例を図面を参照して詳細に説明する。
【実施例】
【００２３】
図１は、本発明が適用される車両１０に備えられた車両用駆動装置１２の概略構成を説明する図であると共に、車両１０における各種制御の為の制御系統の要部を説明する図である。図１において、車両用駆動装置１２は、動力源として機能するエンジン１４と、車体に取り付けられる非回転部材としてのトランスミッションケース１６(以下、ケース１６という)内において共通の軸心上に配設された、エンジン１４に直接或いは図示しないダンパーなどを介して間接的に連結された電気式無段変速部１８(以下、無段変速部１８という)と、無段変速部１８の出力側に連結された機械式有段変速部２０(以下、有段変速部２０という)とを直列に備えている。又、車両用駆動装置１２は、有段変速部２０の出力回転部材である出力軸２２に連結された差動歯車装置２４、差動歯車装置２４に連結された一対の車軸２６等を備えている。車両用駆動装置１２において、エンジン１４や後述する第２回転機ＭＧ２から出力される動力(特に区別しない場合にはトルクや力も同義)は、有段変速部２０へ伝達され、その有段変速部２０から差動歯車装置２４等を介して車両１０が備える駆動輪２８へ伝達される。車両用駆動装置１２は、例えば車両１０において縦置きされるＦＲ(フロントエンジン・リヤドライブ)型車両に好適に用いられるものである。尚、無段変速部１８や有段変速部２０等はエンジン１４などの回転軸心(上記共通の軸心)に対して略対称的に構成されており、図１ではその回転軸心の下半分が省略されている。
【００２４】
エンジン１４は、車両１０の走行用の動力源であり、ガソリンエンジンやディーゼルエンジン等の公知の内燃機関である。このエンジン１４は、後述する電子制御装置８０によってスロットル弁開度或いは吸入空気量、燃料供給量、点火時期等の運転状態が制御されることによりエンジン１４の出力トルクであるエンジントルクＴeが制御される。本実施例では、エンジン１４は、トルクコンバータやフルードカップリング等の流体式伝動装置を介することなく無段変速部１８に連結されている。
【００２５】
無段変速部１８は、第１回転機ＭＧ１と、エンジン１４の動力を第１回転機ＭＧ１及び無段変速部１８の出力回転部材である中間伝達部材３０に機械的に分割する動力分割機構としての差動機構３２と、中間伝達部材３０に動力伝達可能に連結された第２回転機ＭＧ２とを備えている。無段変速部１８は、第１回転機ＭＧ１の運転状態が制御されることにより差動機構３２の差動状態が制御される電気式無段変速機である。第１回転機ＭＧ１は、差動用回転機(差動用電動機)に相当し、又、第２回転機ＭＧ２は、動力源として機能する回転機(電動機)であって、走行駆動用回転機に相当する。車両１０は、走行用の動力源として、エンジン１４及び第２回転機ＭＧ２を備えたハイブリッド車両である。
【００２６】
第１回転機ＭＧ１及び第２回転機ＭＧ２は、電動機(モータ)としての機能及び発電機(ジェネレータ)としての機能を有する回転電気機械であって、所謂モータジェネレータである。第１回転機ＭＧ１及び第２回転機ＭＧ２は、各々、車両１０に備えられたインバータ５０を介して、車両１０に備えられた蓄電装置としてのバッテリ５２に接続されており、後述する電子制御装置８０によってインバータ５０が制御されることにより、第１回転機ＭＧ１及び第２回転機ＭＧ２の各々の出力トルク(力行トルク又は回生トルク)であるＭＧ１トルクＴg及びＭＧ２トルクＴmが制御される。バッテリ５２は、第１回転機ＭＧ１及び第２回転機ＭＧ２の各々に対して電力を授受する蓄電装置である。
【００２７】
差動機構３２は、シングルピニオン型の遊星歯車装置にて構成されており、サンギヤＳ０、キャリアＣＡ０、及びリングギヤＲ０を備えている。キャリアＣＡ０には連結軸３４を介してエンジン１４が動力伝達可能に連結され、サンギヤＳ０には第１回転機ＭＧ１が動力伝達可能に連結され、リングギヤＲ０には第２回転機ＭＧ２が動力伝達可能に連結されている。差動機構３２において、キャリアＣＡ０は入力要素として機能し、サンギヤＳ０は反力要素として機能し、リングギヤＲ０は出力要素として機能する。
【００２８】
有段変速部２０は、中間伝達部材３０と駆動輪２８との間の動力伝達経路の一部を構成する有段変速機である。中間伝達部材３０は、有段変速部２０の入力回転部材としても機能する。中間伝達部材３０には第２回転機ＭＧ２が一体回転するように連結されているので、又は、無段変速部１８の入力側にはエンジン１４が連結されているので、有段変速部２０は、動力源(第２回転機ＭＧ２又はエンジン１４)と駆動輪２８との間の動力伝達経路の一部を構成する有段変速機である。有段変速部２０は、例えば第１遊星歯車装置３６及び第２遊星歯車装置３８の複数組の遊星歯車装置と、クラッチＣ１、クラッチＣ２、ブレーキＢ１、ブレーキＢ２の複数の係合装置(以下、特に区別しない場合は単に係合装置ＣＢという)とを備えている、公知の遊星歯車式の自動変速機である。
【００２９】
係合装置ＣＢは、油圧アクチュエータにより押圧される多板式或いは単板式のクラッチやブレーキ、油圧アクチュエータによって引き締められるバンドブレーキなどにより構成される、油圧式の摩擦係合装置である。係合装置ＣＢは、車両１０に備えられた油圧制御回路５４内のソレノイドバルブＳＬ１−ＳＬ４等から各々出力される調圧された各係合油圧ＰＲcbによりそれぞれのトルク容量(係合トルク、クラッチトルクともいう)Ｔcbが変化させられることで、それぞれ作動状態(係合や解放などの状態)が切り替えられる。係合装置ＣＢを滑らすことなく(すなわち係合装置ＣＢに差回転速度を生じさせることなく)中間伝達部材３０と出力軸２２との間でトルク(例えば有段変速部２０に入力される入力トルクであるＡＴ入力トルクＴi)を伝達する為には、そのトルクに対して係合装置ＣＢの各々にて受け持つ必要がある伝達トルク(係合伝達トルク、クラッチ伝達トルクともいう)分(すなわち係合装置ＣＢの分担トルク)が得られる係合トルクＴcbが必要になる。但し、伝達トルク分が得られる係合トルクＴcbにおいては、係合トルクＴcbを増加させても伝達トルクは増加しない。つまり、係合トルクＴcbは、係合装置ＣＢが伝達できる最大のトルクに相当し、伝達トルクは、係合装置ＣＢが実際に伝達するトルクに相当する。従って、係合装置ＣＢに差回転速度が生じている状態では、係合トルクＴcbと伝達トルクとは同意である。本実施例では、有段変速部２０の変速過渡中において差回転速度が生じている状態(例えばイナーシャ相中)の係合装置ＣＢの伝達トルクを係合トルクＴcbで表す(すなわち伝達トルクＴcbで表す)。尚、係合トルクＴcb(或いは伝達トルク)と係合油圧ＰＲcbとは、例えば係合装置ＣＢのパック詰めに必要な係合油圧ＰＲcbを供給する領域を除けば、略比例関係にある。
【００３０】
有段変速部２０は、第１遊星歯車装置３６及び第２遊星歯車装置３８の各回転要素(サンギヤＳ１，Ｓ２、キャリアＣＡ１，ＣＡ２、リングギヤＲ１，Ｒ２)が、直接的に或いは係合装置ＣＢやワンウェイクラッチＦ１を介して間接的(或いは選択的)に、一部が互いに連結されたり、中間伝達部材３０、ケース１６、或いは出力軸２２に連結されている。
【００３１】
有段変速部２０は、係合装置ＣＢのうちの所定の係合装置の係合によって、変速比(ギヤ比)γat(＝ＡＴ入力回転速度ωi／出力回転速度ωo)が異なる複数の変速段(ギヤ段)のうちの何れかのギヤ段が形成される。つまり、有段変速部２０は、係合装置ＣＢが選択的に係合されることで、ギヤ段が切り替えられる(すなわち変速が実行される)。本実施例では、有段変速部２０にて形成されるギヤ段をＡＴギヤ段と称す。ＡＴ入力回転速度ωiは、有段変速部２０の入力回転部材の回転速度(角速度)である有段変速部２０の入力回転速度であって、中間伝達部材３０の回転速度と同値であり、又、第２回転機ＭＧ２の回転速度であるＭＧ２回転速度ωmと同値である。ＡＴ入力回転速度ωiは、ＭＧ２回転速度ωmで表すことができる。出力回転速度ωoは、有段変速部２０の出力回転速度である出力軸２２の回転速度であって、無段変速部１８と有段変速部２０とを合わせた全体の変速機４０の出力回転速度でもある。
【００３２】
有段変速部２０は、例えば図２の係合作動表に示すように、複数のＡＴギヤ段として、ＡＴ１速ギヤ段(図中の「１ｓｔ」)−ＡＴ４速ギヤ段(図中の「４ｔｈ」)の４段の前進用のＡＴギヤ段が形成される。ＡＴ１速ギヤ段の変速比γatが最も大きく、高車速側(ハイ側のＡＴ４速ギヤ段側)程、変速比γatが小さくなる。図２の係合作動表は、各ＡＴギヤ段と係合装置ＣＢの各作動状態(各ＡＴギヤ段において各々係合される係合装置である所定の係合装置)との関係をまとめたものであり、「○」は係合、「△」はエンジンブレーキ時や有段変速部２０のコーストダウンシフト時に係合、空欄は解放をそれぞれ表している。ＡＴ１速ギヤ段を成立させるブレーキＢ２には並列にワンウェイクラッチＦ１が設けられているので、発進時(加速時)にはブレーキＢ２を係合させる必要は無い。有段変速部２０のコーストダウンシフトは、駆動要求量(例えばアクセル開度θacc)の減少やアクセルオフ(アクセル開度θaccがゼロ又は略ゼロ)による減速走行中の車速関連値(例えば車速Ｖ)の低下によってダウンシフトが判断(要求)されたパワーオフダウンシフトのうちで、アクセルオフの減速走行状態のままで要求されたダウンシフトである。尚、係合装置ＣＢが何れも解放されることにより、有段変速部２０は、何れのギヤ段も形成されないニュートラル状態(すなわち動力伝達を遮断するニュートラル状態)とされる。
【００３３】
有段変速部２０は、後述する電子制御装置８０(特には有段変速部２０の変速制御を実行する後述するＡＴ変速制御部８２)によって、運転者のアクセル操作や車速Ｖ等に応じて係合装置ＣＢのうちの(つまり変速前のＡＴギヤ段を形成する所定の係合装置のうちの)解放側係合装置の解放と係合装置ＣＢのうちの(つまり変速後のＡＴギヤ段を形成する所定の係合装置のうちの)係合側係合装置の係合とが制御されることで、形成されるＡＴギヤ段が切り替えられる(すなわち複数のＡＴギヤ段が選択的に形成される)。つまり、有段変速部２０の変速制御においては、例えば係合装置ＣＢの何れかの掴み替えにより(すなわち係合装置ＣＢの係合と解放との切替えにより)変速が実行される、所謂クラッチツゥクラッチ変速が実行される。例えば、ＡＴ２速ギヤ段からＡＴ１速ギヤ段へのダウンシフト(２→１ダウンシフトと表す)では、図２の係合作動表に示すように、解放側係合装置となるブレーキＢ１が解放されると共に、係合側係合装置となるブレーキＢ２が係合させられる。この際、ブレーキＢ１の解放過渡油圧やブレーキＢ２の係合過渡油圧が調圧制御される。
【００３４】
図３は、無段変速部１８と有段変速部２０とにおける各回転要素の回転速度の相対的関係を表す共線図である。図３において、無段変速部１８を構成する差動機構３２の３つの回転要素に対応する３本の縦線Ｙ１、Ｙ２、Ｙ３は、左側から順に第２回転要素ＲＥ２に対応するサンギヤＳ０の回転速度を表すｇ軸であり、第１回転要素ＲＥ１に対応するキャリアＣＡ０の回転速度を表すｅ軸であり、第３回転要素ＲＥ３に対応するリングギヤＲ０の回転速度(すなわち有段変速部２０の入力回転速度)を表すｍ軸である。又、有段変速部２０の４本の縦線Ｙ４、Ｙ５、Ｙ６、Ｙ７は、左から順に、第４回転要素ＲＥ４に対応するサンギヤＳ２の回転速度、第５回転要素ＲＥ５に対応する相互に連結されたリングギヤＲ１及びキャリアＣＡ２の回転速度(すなわち出力軸２２の回転速度)、第６回転要素ＲＥ６に対応する相互に連結されたキャリアＣＡ１及びリングギヤＲ２の回転速度、第７回転要素ＲＥ７に対応するサンギヤＳ１の回転速度をそれぞれ表す軸である。縦線Ｙ１、Ｙ２、Ｙ３の相互の間隔は、差動機構３２のギヤ比(歯車比)ρ０に応じて定められている。又、縦線Ｙ４、Ｙ５、Ｙ６、Ｙ７の相互の間隔は、第１、第２遊星歯車装置３６，３８の各歯車比ρ１，ρ２に応じて定められている。共線図の縦軸間の関係においてサンギヤとキャリアとの間が「１」に対応する間隔とされるとキャリアとリングギヤとの間が遊星歯車装置の歯車比ρ(＝サンギヤの歯数Ｚs／リングギヤの歯数Ｚr)に対応する間隔とされる。
【００３５】
図３の共線図を用いて表現すれば、無段変速部１８の差動機構３２において、第１回転要素ＲＥ１にエンジン１４(図中の「ＥＮＧ」参照)が連結され、第２回転要素ＲＥ２に第１回転機ＭＧ１(図中の「ＭＧ１」参照)が連結され、中間伝達部材３０と一体回転する第３回転要素ＲＥ３に第２回転機ＭＧ２(図中の「ＭＧ２」参照)が連結されて、エンジン１４の回転を中間伝達部材３０を介して有段変速部２０へ伝達するように構成されている。無段変速部１８では、縦線Ｙ２を横切る各直線Ｌ０により、サンギヤＳ０の回転速度とリングギヤＲ０の回転速度との関係が示される。
【００３６】
又、有段変速部２０において、第４回転要素ＲＥ４はクラッチＣ１を介して中間伝達部材３０に選択的に連結され、第５回転要素ＲＥ５は出力軸２２に連結され、第６回転要素ＲＥ６はクラッチＣ２を介して中間伝達部材３０に選択的に連結されると共にブレーキＢ２を介してケース１６に選択的に連結され、第７回転要素ＲＥ７はブレーキＢ１を介してケース１６に選択的に連結されている。有段変速部２０では、係合装置ＣＢの係合解放制御によって縦線Ｙ５を横切る各直線Ｌ１，Ｌ２，Ｌ３，Ｌ４により、出力軸２２における「１ｓｔ」，「２ｎｄ」，「３ｒｄ」，「４ｔｈ」の各回転速度が示される。
【００３７】
図３中の実線で示す、直線Ｌ０及び直線Ｌ１，Ｌ２，Ｌ３，Ｌ４は、少なくともエンジン１４を動力源として走行するエンジン走行が可能なハイブリッド走行モードでの前進走行における各回転要素の相対速度を示している。このハイブリッド走行モードでは、差動機構３２において、キャリアＣＡ０に入力されるエンジントルクＴeに対して、第１回転機ＭＧ１による負トルクである反力トルクが正回転にてサンギヤＳ０に入力されると、リングギヤＲ０には正回転にて正トルクとなるエンジン直達トルクＴd(＝Ｔe／(１＋ρ)＝−(１／ρ)×Ｔg)が現れる。そして、要求駆動力に応じて、エンジン直達トルクＴdとＭＧ２トルクＴmとの合算トルクが車両１０の前進方向の駆動トルクとして、ＡＴ１速ギヤ段−ＡＴ４速ギヤ段のうちの何れかのＡＴギヤ段が形成された有段変速部２０を介して駆動輪２８へ伝達される。このとき、第１回転機ＭＧ１は正回転にて負トルクを発生する発電機として機能する。第１回転機ＭＧ１の発電電力Ｗgは、バッテリ５２に充電されたり、第２回転機ＭＧ２にて消費される。第２回転機ＭＧ２は、発電電力Ｗgの全部又は一部を用いて、或いは発電電力Ｗgに加えてバッテリ５２からの電力を用いて、ＭＧ２トルクＴmを出力する。
【００３８】
図３に図示はしていないが、エンジン１４を停止させると共に第２回転機ＭＧ２を動力源として走行するモータ走行が可能なモータ走行モードでの共線図では、差動機構３２において、キャリアＣＡ０はゼロ回転とされ、リングギヤＲ０には正回転にて正トルクとなるＭＧ２トルクＴmが入力される。このとき、サンギヤＳ０に連結された第１回転機ＭＧ１は、無負荷状態とされて負回転にて空転させられる。つまり、モータ走行モードでは、エンジン１４は駆動されず、エンジン１４の回転速度であるエンジン回転速度ωeはゼロとされ、ＭＧ２トルクＴm(ここでは正回転の力行トルク)が車両１０の前進方向の駆動トルクとして、ＡＴ１速ギヤ段−ＡＴ４速ギヤ段のうちの何れかのＡＴギヤ段が形成された有段変速部２０を介して駆動輪２８へ伝達される。又、車両１０の後進走行では、例えばモータ走行モードにおいて、リングギヤＲ０には負回転にて負トルクとなるＭＧ２トルクＴmが入力され、そのＭＧ２トルクＴmが車両１０の後進方向の駆動トルクとして、前進用のＡＴ１速ギヤ段が形成された有段変速部２０を介して駆動輪２８へ伝達される。
【００３９】
車両用駆動装置１２では、エンジン１４が動力伝達可能に連結された第１回転要素ＲＥ１としてのキャリアＣＡ０と第１回転機ＭＧ１が動力伝達可能に連結された第２回転要素ＲＥ２としてのサンギヤＳ０と中間伝達部材３０が連結された(見方を換えれば第２回転機ＭＧ２が動力伝達可能に連結された)第３回転要素ＲＥ３としてのリングギヤＲ０との３つの回転要素を有する差動機構３２を備えて、第１回転機ＭＧ１の運転状態が制御されることにより差動機構３２の差動状態が制御される電気式変速機構(電気式差動機構)としての無段変速部１８が構成される。つまり、エンジン１４が動力伝達可能に連結された差動機構３２と差動機構３２に動力伝達可能に連結された第１回転機ＭＧ１とを有して、第１回転機ＭＧ１の運転状態が制御されることにより差動機構３２の差動状態が制御される無段変速部１８が構成される。無段変速部１８は、中間伝達部材３０の回転速度であるＭＧ２回転速度ωmに対する連結軸３４の回転速度(すなわちエンジン回転速度ωe)の変速比γ０(＝ωe／ωm)が変化させられる電気的な無段変速機として作動させられる。
【００４０】
例えば、ハイブリッド走行モードにおいては、有段変速部２０にてＡＴギヤ段が形成されたことで駆動輪２８の回転に拘束されるリングギヤＲ０の回転速度に対して、第１回転機ＭＧ１の回転速度を制御することによってサンギヤＳ０の回転速度が上昇或いは下降させられると、キャリアＣＡ０の回転速度(すなわちエンジン回転速度ωe)が上昇或いは下降させられる。従って、エンジン走行では、エンジン１４を効率の良い運転点にて作動させることが可能である。つまり、ＡＴギヤ段が形成された有段変速部２０と無段変速機として作動させられる無段変速部１８とで、無段変速部１８(差動機構３２も同意)と有段変速部２０とが直列に配置された変速機４０全体として無段変速機を構成することができる。
【００４１】
又は、無段変速部１８を有段変速機のように変速させることも可能であるので、ＡＴギヤ段が形成される有段変速部２０と有段変速機のように変速させる無段変速部１８とで、変速機４０全体として有段変速機のように変速させることができる。つまり、変速機４０において、出力回転速度ωoに対するエンジン回転速度ωeの変速比γｔ(＝ωe／ωo)が異なる複数のギヤ段(模擬ギヤ段と称する)を選択的に成立させるように、有段変速部２０と無段変速部１８とを制御することが可能である。変速比γｔは、直列に配置された、無段変速部１８と有段変速部２０とで形成されるトータル変速比であって、無段変速部１８の変速比γ０と有段変速部２０の変速比γatとを乗算した値(γｔ＝γ０×γat)となる。
【００４２】
模擬ギヤ段は、例えば有段変速部２０の各ＡＴギヤ段と１又は複数種類の無段変速部１８の変速比γ０との組合せによって、有段変速部２０の各ＡＴギヤ段に対してそれぞれ１又は複数種類を成立させるように割り当てられる。例えば、図４は、ギヤ段割当(ギヤ段割付)テーブルの一例であり、ＡＴ１速ギヤ段に対して模擬１速ギヤ段−模擬３速ギヤ段が成立させられ、ＡＴ２速ギヤ段に対して模擬４速ギヤ段−模擬６速ギヤ段が成立させられ、ＡＴ３速ギヤ段に対して模擬７速ギヤ段−模擬９速ギヤ段が成立させられ、ＡＴ４速ギヤ段に対して模擬１０速ギヤ段が成立させられるように予め定められている。
【００４３】
図５は、図３と同じ共線図上に有段変速部２０のＡＴギヤ段と変速機４０の模擬ギヤ段とを例示した図である。図５において、実線は、有段変速部２０がＡＴ２速ギヤ段のときに、模擬４速ギヤ段−模擬６速ギヤが成立させられる場合を例示したものである。変速機４０では、出力回転速度ωoに対して所定の変速比γｔを実現するエンジン回転速度ωeとなるように無段変速部１８が制御されることによって、あるＡＴギヤ段において異なる模擬ギヤ段が成立させられる。又、破線は、有段変速部２０がＡＴ３速ギヤ段のときに、模擬７速ギヤ段が成立させられる場合を例示したものである。変速機４０では、ＡＴギヤ段の切替えに合わせて無段変速部１８が制御されることによって、模擬ギヤ段が切り替えられる。
【００４４】
図１に戻り、車両１０は、更に、エンジン１４、無段変速部１８、及び有段変速部２０などの制御に関連する車両１０の制御装置を含むコントローラとしての電子制御装置８０を備えている。よって、図１は、電子制御装置８０の入出力系統を示す図であり、又、電子制御装置８０による制御機能の要部を説明する機能ブロック線図である。電子制御装置８０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。電子制御装置８０は、必要に応じてエンジン制御用、変速制御用等に分けて構成される。
【００４５】
電子制御装置８０には、車両１０に備えられた各種センサ等(例えばエンジン回転速度センサ６０、ＭＧ１回転速度センサ６２、ＭＧ２回転速度センサ６４、出力回転速度センサ６６、アクセル開度センサ６８、スロットル弁開度センサ７０、Ｇセンサ７２、シフトポジションセンサ７４、バッテリセンサ７６など)による検出値に基づく各種信号等(例えばエンジン回転速度ωe、第１回転機ＭＧ１の回転速度であるＭＧ１回転速度ωg、ＡＴ入力回転速度ωiであるＭＧ２回転速度ωm、車速Ｖに対応する出力回転速度ωo、運転者の加速操作の大きさを表す運転者の加速操作量(すなわちアクセルペダルの操作量)であるアクセル開度θacc、電子スロットル弁の開度であるスロットル弁開度θth、車両１０の前後加速度Ｇ、車両１０に備えられたシフト操作部材としてのシフトレバー５６の操作位置(操作ポジション)POSsh、バッテリ５２のバッテリ温度ＴＨbatやバッテリ充放電電流Ｉbatやバッテリ電圧Ｖbatなど)が、それぞれ供給される。又、電子制御装置８０からは、車両１０に備えられた各装置(例えばスロットルアクチュエータや燃料噴射装置や点火装置等のエンジン制御装置５８、インバータ５０、油圧制御回路５４など)に各種指令信号(例えばエンジン１４を制御する為のエンジン制御指令信号Ｓe、第１回転機ＭＧ１及び第２回転機ＭＧ２を制御する為の回転機制御指令信号Ｓmg、係合装置ＣＢの作動状態を制御する為の(すなわち有段変速部２０の変速を制御する為の)油圧制御指令信号Ｓatなど)が、それぞれ出力される。この油圧制御指令信号Ｓatは、例えば係合装置ＣＢの各々の油圧アクチュエータへ供給される各係合油圧ＰＲcbを調圧する各ソレノイドバルブＳＬ１−ＳＬ４等を駆動する為の指令信号(駆動電流)であり、油圧制御回路５４へ出力される。尚、電子制御装置８０は、係合装置ＣＢの狙いの係合トルクＴcbを得る為の、各油圧アクチュエータへ供給される各係合油圧ＰＲcbの値に対応する油圧指令値(指示圧ともいう)を設定し、その油圧指令値に応じた駆動電流を出力する。
【００４６】
電子制御装置８０は、例えばバッテリ充放電電流Ｉbat及びバッテリ電圧Ｖbatなどに基づいてバッテリ５２の充電状態(充電容量)ＳＯＣを算出する。又、電子制御装置８０は、例えばバッテリ温度ＴＨbat及びバッテリ５２の充電容量ＳＯＣに基づいて、バッテリ５２のパワーであるバッテリパワーＰbatの使用可能な範囲を規定する(すなわちバッテリ５２の入力電力の制限を規定する充電可能電力(入力可能電力)Ｗin、及びバッテリ５２の出力電力の制限を規定する放電可能電力(出力可能電力)Ｗoutである)、充放電可能電力Ｗin，Ｗoutを算出する。充放電可能電力Ｗin，Ｗoutは、例えばバッテリ温度ＴＨbatが常用域より低い低温域ではバッテリ温度ＴＨbatが低い程小さくされ、又、バッテリ温度ＴＨbatが常用域より高い高温域ではバッテリ温度ＴＨbatが高い程小さくされる。又、充電可能電力Ｗinは、例えば充電容量ＳＯＣが大きな領域では充電容量ＳＯＣが大きい程小さくされる。又、放電可能電力Ｗoutは、例えば充電容量ＳＯＣが小さな領域では充電容量ＳＯＣが小さい程小さくされる。
【００４７】
電子制御装置８０は、車両１０における各種制御を実現する為に、変速制御手段としてのＡＴ変速制御手段すなわち変速制御部としてのＡＴ変速制御部８２、及びハイブリッド制御手段すなわちハイブリッド制御部８４を備えている。
【００４８】
ＡＴ変速制御部８２は、予め実験的に或いは設計的に求められて記憶された(すなわち予め定められた)関係(例えばＡＴギヤ段変速マップ)を用いて有段変速部２０の変速判断を行い、必要に応じて有段変速部２０の変速制御を実行して有段変速部２０のＡＴギヤ段を自動的に切り替えるように、ソレノイドバルブＳＬ１−ＳＬ４により係合装置ＣＢの係合解放状態を切り替える為の油圧制御指令信号Ｓatを油圧制御回路５４へ出力する。上記ＡＴギヤ段変速マップは、例えば出力回転速度ωo(ここでは車速Ｖなども同意)及びアクセル開度θacc(ここでは要求駆動トルクＴdemやスロットル弁開度θthなども同意)を変数とする二次元座標上に、有段変速部２０の変速が判断される為の変速線(アップシフト線及びダウンシフト線)を有する所定の関係である。
【００４９】
ハイブリッド制御部８４は、エンジン１４の作動を制御するエンジン制御手段すなわちエンジン制御部としての機能と、インバータ５０を介して第１回転機ＭＧ１及び第２回転機ＭＧ２の作動を制御する回転機制御手段すなわち回転機制御部としての機能を含んでおり、それら制御機能によりエンジン１４、第１回転機ＭＧ１、及び第２回転機ＭＧ２によるハイブリッド駆動制御等を実行する。ハイブリッド制御部８４は、予め定められた関係(例えば駆動力マップ)にアクセル開度θacc及び車速Ｖを適用することで要求駆動パワーＰdem(見方を換えれば、そのときの車速Ｖにおける要求駆動トルクＴdem)を算出する。ハイブリッド制御部８４は、バッテリ５２の充放電可能電力Ｗin，Ｗout等を考慮して、要求駆動パワーＰdemを実現するように、エンジン１４、第１回転機ＭＧ１、及び第２回転機ＭＧ２を制御する指令信号(エンジン制御指令信号Ｓe及び回転機制御指令信号Ｓmg)を出力する。エンジン制御指令信号Ｓeは、例えばそのときのエンジン回転速度ωeにおけるエンジントルクＴeを出力するエンジン１４のパワーであるエンジンパワーＰeの指令値である。回転機制御指令信号Ｓmgは、例えばエンジントルクＴeの反力トルク(そのときのＭＧ１回転速度ωgにおけるＭＧ１トルクＴg)を出力する第１回転機ＭＧ１の発電電力Ｗgの指令値であり、又、そのときのＭＧ２回転速度ωmにおけるＭＧ２トルクＴmを出力する第２回転機ＭＧ２の消費電力Ｗmの指令値である。
【００５０】
ハイブリッド制御部８４は、例えば無段変速部１８を無段変速機として作動させて変速機４０全体として無段変速機として作動させる場合、エンジン最適燃費点等を考慮して、要求駆動パワーＰdemを実現するエンジンパワーＰeが得られるエンジン回転速度ωeとエンジントルクＴeとなるように、エンジン１４を制御すると共に第１回転機ＭＧ１の発電電力Ｗgを制御することで、無段変速部１８の無段変速制御を実行して無段変速部１８の変速比γ０を変化させる。この制御の結果として、無段変速機として作動させる場合の変速機４０の変速比γｔが制御される。
【００５１】
ハイブリッド制御部８４は、例えば無段変速部１８を有段変速機のように変速させて変速機４０全体として有段変速機のように変速させる場合、予め定められた関係(例えば模擬ギヤ段変速マップ)を用いて変速機４０の変速判断を行い、ＡＴ変速制御部８２による有段変速部２０のＡＴギヤ段の変速制御と協調して、複数の模擬ギヤ段を選択的に成立させるように無段変速部１８の変速制御を実行する。複数の模擬ギヤ段は、それぞれの変速比γｔを維持できるように出力回転速度ωoに応じて第１回転機ＭＧ１によりエンジン回転速度ωeを制御することによって成立させることができる。各模擬ギヤ段の変速比γｔは、出力回転速度ωoの全域に亘って必ずしも一定値である必要はなく、所定範囲で変化させても良いし、各部の回転速度の上限や下限等によって制限が加えられても良い。
【００５２】
上記模擬ギヤ段変速マップは、ＡＴギヤ段変速マップと同様に出力回転速度ωo及びアクセル開度θaccをパラメータとして予め定められている。図６は、模擬ギヤ段変速マップの一例であって、実線はアップシフト線であり、破線はダウンシフト線である。模擬ギヤ段変速マップに従って模擬ギヤ段が切り替えられることにより、無段変速部１８と有段変速部２０とが直列に配置された変速機４０全体として有段変速機と同様の変速フィーリングが得られる。変速機４０全体として有段変速機のように変速させる模擬有段変速制御は、例えば運転者によってスポーツ走行モード等の走行性能重視の走行モードが選択された場合や要求駆動トルクＴdemが比較的大きい場合に、変速機４０全体として無段変速機として作動させる無段変速制御に優先して実行するだけでも良いが、所定の実行制限時を除いて基本的に模擬有段変速制御が実行されても良い。
【００５３】
ハイブリッド制御部８４による模擬有段変速制御と、ＡＴ変速制御部８２による有段変速部２０の変速制御とは、協調して実行される。本実施例では、ＡＴ１速ギヤ段−ＡＴ４速ギヤ段の４種類のＡＴギヤ段に対して、模擬１速ギヤ段−模擬１０速ギヤ段の１０種類の模擬ギヤ段が割り当てられている。このようなことから、模擬３速ギヤ段と模擬４速ギヤ段との間での変速(模擬３⇔４変速と表す)が行われるときにＡＴ１速ギヤ段とＡＴ２速ギヤ段との間での変速(ＡＴ１⇔２変速と表す)が行なわれ、又、模擬６⇔７変速が行われるときにＡＴ２⇔３変速が行なわれ、又、模擬９⇔１０変速が行われるときにＡＴ３⇔４変速が行なわれる(図４参照)。その為、模擬ギヤ段の変速タイミングと同じタイミングでＡＴギヤ段の変速が行なわれるように、ＡＴギヤ段変速マップが定められている。具体的には、図６における模擬ギヤ段の「３→４」、「６→７」、「９→１０」の各アップシフト線は、ＡＴギヤ段変速マップの「１→２」、「２→３」、「３→４」の各アップシフト線と一致している(図６中に記載した「ＡＴ１→２」等参照)。又、図６における模擬ギヤ段の「３←４」、「６←７」、「９←１０」の各ダウンシフト線は、ＡＴギヤ段変速マップの「１←２」、「２←３」、「３←４」の各ダウンシフト線と一致している(図６中に記載した「ＡＴ１←２」等参照)。又は、図６の模擬ギヤ段変速マップによる模擬ギヤ段の変速判断に基づいて、ＡＴギヤ段の変速指令をＡＴ変速制御部８２に対して出力するようにしても良い。このように、有段変速部２０のアップシフト時は、変速機４０全体のアップシフトが行われる一方で、有段変速部２０のダウンシフト時は、変速機４０全体のダウンシフトが行われる。ＡＴ変速制御部８２は、有段変速部２０のＡＴギヤ段の切替えを、模擬ギヤ段が切り替えられるときに行う。模擬ギヤ段の変速タイミングと同じタイミングでＡＴギヤ段の変速が行なわれる為、エンジン回転速度ωeの変化を伴って有段変速部２０の変速が行なわれるようになり、その有段変速部２０の変速に伴うショックがあっても運転者に違和感を与え難くされる。
【００５４】
ハイブリッド制御部８４は、走行モードとして、モータ走行モード或いはハイブリッド走行モードを走行状態に応じて選択的に成立させる。例えば、ハイブリッド制御部８４は、要求駆動パワーＰdemが予め定められた閾値よりも小さなモータ走行領域にある場合には、モータ走行モードを成立させる一方で、要求駆動パワーＰdemが予め定められた閾値以上となるエンジン走行領域にある場合には、ハイブリッド走行モードを成立させる。又、ハイブリッド制御部８４は、要求駆動パワーＰdemがモータ走行領域にあるときであっても、バッテリ５２の充電容量ＳＯＣが予め定められた閾値未満となる場合には、ハイブリッド走行モードを成立させる。
【００５５】
ここで、有段変速部２０の変速を伴うときの変速機４０の模擬有段変速制御について詳述する。ハイブリッド制御部８４は、ＡＴ変速制御部８２による有段変速部２０の変速時(特には変速過渡におけるイナーシャ相中において)、有段変速部２０の入力回転部材の回転状態を表す値としての第２回転機ＭＧ２の角加速度であるＭＧ２角加速度dωm/dtとエンジン１４の回転状態を表す値としてのエンジン１４の角加速度であるエンジン角加速度dωe/dtとが各々の目標値となるように、エンジントルクＴeと、係合装置ＣＢの伝達トルクＴcb(すなわち有段変速部２０における解放側係合装置及び係合側係合装置のうちの変速を進行させる側の変速進行側係合装置の伝達トルクＴcb)とに基づいて、ＭＧ１トルクＴgとＭＧ２トルクＴmとを制御する、変速時基本制御を実行する。エンジントルクＴeに対するＭＧ１トルクＴgによる反力トルクにてリングギヤＲ０に現れるエンジン直達トルクＴdと、ＭＧ２トルクＴmとの合算トルクが有段変速部２０へのＡＴ入力トルクＴiとなるので、ＭＧ１トルクＴgとＭＧ２トルクＴmとを制御することは、そのＡＴ入力トルクＴiを制御することと同意である。
【００５６】
有段変速部２０の変速制御においては、パワーオンアップシフト、パワーオフアップシフト、パワーオンダウンシフト、及びパワーオフダウンシフトといった様々な変速パターン(変速様式)がある。パワーオンでの変速は、例えばアクセル開度θaccの増大やアクセルオンが維持された状態での車速Ｖの上昇によって判断された変速であり、パワーオフでの変速は、例えばアクセル開度θaccの減少やアクセルオフが維持された状態での車速Ｖの低下によって判断された変速である。仮に変速中に解放側係合装置及び係合側係合装置の何れにも伝達トルクＴcbを発生させない状態とすると、パワーオンではＡＴ入力回転速度ωiは成り行きで上昇させられる一方で、パワーオフではＡＴ入力回転速度ωiは成り行きで低下させられる。その為、成り行きではＡＴ入力回転速度ωiを変速後の同期回転速度ωisyca(＝ωo×変速後の変速比γata)へ向けて変化させられない、パワーオンアップシフトやパワーオフダウンシフトでは、変速後のＡＴギヤ段を形成する係合側係合装置に伝達トルクＴcbを発生させることで変速を進行させることが好ましい。一方で、成り行きでＡＴ入力回転速度ωiを変速後の同期回転速度ωisycaへ向けて変化させられる、パワーオフアップシフトやパワーオンダウンシフトでは、変速前のＡＴギヤ段を形成する解放側係合装置の伝達トルクＴcbを低下させることで変速を進行させることが好ましい。従って、パワーオンアップシフトやパワーオフダウンシフトにおける変速進行側係合装置は係合側係合装置である一方で、パワーオフアップシフトやパワーオンダウンシフトにおける変速進行側係合装置は解放側係合装置である。
【００５７】
具体的には、ハイブリッド制御部８４は、予め定められた次式(１)を用いて、ＭＧ２角加速度dωm/dtとエンジン角加速度dωe/dtとの各々の目標値、エンジントルクＴe、及びＡＴ伝達トルクＴatに基づいて、ＭＧ１トルクＴgとＭＧ２トルクＴmとを算出する。ハイブリッド制御部８４は、算出したＭＧ１トルクＴgとＭＧ２トルクＴmとが各々得られる為の各回転機制御指令信号Ｓmgをインバータ５０へ出力する。次式(１)は、例えば無段変速部１８におけるｇ軸、ｅ軸、及びｍ軸(図３参照)の各軸毎において成立する、慣性(イナーシャ)、角加速度、及び軸上のトルクで示される運動方程式と、無段変速部１８が２自由度(すなわち各軸のうちの２つの軸の各回転速度が決まると残りの１つの軸の回転速度が決まるという２自由度)であることで規定される相互間の関係式とに基づいて、導き出された式である。従って、次式(１)中の２×２の各行列における各値ａ11、・・・、ｂ11、・・・、ｃ22は、各々、無段変速部１８を構成する各回転部材の慣性や差動機構３２の歯車比ρ０等の組み合わせで構成された値となっている。
【００５８】
【数１】
2018099946.tif 000003
【００５９】
前記式(１)中のＭＧ２角加速度dωm/dtとエンジン角加速度dωe/dtとの各々の目標値は、例えば有段変速部２０の変速が様々な変速パターンのうちのどの変速パターンであるか、どのＡＴギヤ段間での変速であるか、及びどの模擬ギヤ段間での変速であるかなどによって予め定められている。又、前記式(１)中のエンジントルクＴeは、例えば要求駆動パワーＰdemを実現するエンジンパワーＰe(要求エンジンパワーＰedemともいう)が得られる、そのときのエンジン回転速度ωeにおけるエンジントルクＴe(要求エンジントルクＴedemともいう)である。
【００６０】
又、前記式(１)中のＡＴ伝達トルクＴatは、有段変速部２０の変速時に係合装置ＣＢの各々にて受け持つ必要がある各伝達トルクを中間伝達部材３０(すなわちｍ軸上)に換算した各換算値の合算値(すなわち有段変速部２０が伝達する伝達トルクを中間伝達部材３０上に換算した値)である。前記式(１)は有段変速部２０の変速を進行させるときのモデル式であるので、本実施例では、前記式(１)中のＡＴ伝達トルクＴatを便宜上、変速を進行させる主体となる変速進行側係合装置の伝達トルクＴcbとする。前記式(１)において、変速進行側係合装置の伝達トルクＴcbの値としてはフィードフォワード値が与えられる。その為、電子制御装置８０は、変速進行側係合装置の伝達トルクＴcbを設定する。電子制御装置８０による変速進行側係合装置の伝達トルクＴcbの設定では、有段変速部２０の変速ショックや変速時間等のバランスを取るように、有段変速部２０の変速パターンやどのＡＴギヤ段間での変速であるかなどの異なる変速の種類毎に予め定められた関係を用いて、要求駆動パワーＰdemを実現する要求エンジンパワーＰedemに基づくＡＴ入力トルクＴiに応じた変速進行側係合装置の伝達トルクＴcbの値が設定される。
【００６１】
図７は、有段変速部２０の通常のパワーオンダウンシフト制御を説明する為のタイムチャートの一例を示す図である。図７において、ｔ１時点は、パワーオンダウンシフトが判断された時点を示している(ＡＴギヤ段の破線参照)。ｔ２時点は、パワーオンダウンシフトの変速出力が開始された時点を示している(ＡＴギヤ段の実線参照)。変速出力が開始された後、ＡＴ入力回転速度ωiがダウンシフト後の同期回転速度ωisycaに向けて上昇し始めたことでイナーシャ相が開始され(ｔ３時点参照)、変速が進行させられる。その後、ＡＴ入力回転速度ωiがダウンシフト後の同期回転速度ωisycaと略同期した状態とされる(ｔ４時点参照)。ｔ３時点−ｔ４時点における破線は、ＭＧ２角加速度dωm/dtが目標値通りとなるように変速が進行するときのＡＴ入力回転速度ωiの目標値を示している。有段変速部２０のパワーオンダウンシフト時に、何らかの原因で変速進行側係合装置の伝達トルクＴcbがＡＴ入力トルクＴiに対して不足すると、ＭＧ２角加速度dωm/dtが目標値よりも大きくなってしまう(すなわち実際のＡＴ入力回転速度ωiが目標よりも早く上昇してしまう(Ａ部実線参照))。このような場合、前記式(１)を用いた制御(フィードバック制御)では、ＭＧ２角加速度dωm/dtが目標値となるように(すなわちＡＴ入力回転速度ωiが目標値となるように)、ＭＧ２角加速度dωm/dtが目標値通りとされているときの本来のＭＧ２トルクＴmの指令値(Ｂ部破線参照)よりもＭＧ２トルクＴmが低減され(Ｂ部実線参照)、本来のＡＴ入力トルクＴiの要求値(要求入力トルクともいう)(Ｃ部破線参照)よりもＡＴ入力トルクＴiが低減される(Ｃ部実線参照)。この要求入力トルクは、例えば要求駆動トルクＴdemを中間伝達部材３０上の値に換算した値である。これにより、変速進行側係合装置の伝達トルクＴcbとＡＴ入力トルクＴiとのバランスが取られ、ＡＴ入力回転速度ωiが目標値となるように制御することができる(Ｄ部実線参照)。このとき、ＭＧ２トルクＴmの低減分(つまりＡＴ入力トルクＴiの低減分)に応じたパワーは、電力としてバッテリ５２に充電される(ｔ３時点−ｔ４時点参照)。
【００６２】
ところで、上述した、ＭＧ２トルクＴmの低減分に応じたパワーに対してバッテリ５２の充電可能電力Ｗinが不足していると(つまりバッテリ５２への充電が制限されていると)、ＡＴ入力回転速度ωiが目標値となるようにＭＧ２トルクＴmを十分に低減することができなくなる。
【００６３】
図１０は、有段変速部２０のパワーオンダウンシフト時にバッテリ５２への充電が制限されているときの制御(後述する本実施例とは別の比較例)を説明する為のタイムチャートの一例を示す図である。図１０において、ｔ１時点は、パワーオンダウンシフトが判断された時点を示している(ＡＴギヤ段の破線参照)。ｔ２時点は、パワーオンダウンシフトの変速出力が開始された時点を示している(ＡＴギヤ段の実線参照)。ｔ３時点は、イナーシャ相が開始された時点を示している。ｔ４時点は、ＡＴ入力回転速度ωiがダウンシフト後の同期回転速度ωisycaと略同期した時点を示している。有段変速部２０のパワーオンダウンシフト時に、何らかの原因で変速進行側係合装置の伝達トルクＴcbがＡＴ入力トルクＴiに対して不足した為に、実際のＡＴ入力回転速度ωiが目標よりも早く上昇してしまう(Ａ部実線参照)場合、前述の図７に示したように、本来のＭＧ２トルクＴmの指令値(Ｂ部破線参照)よりもＭＧ２トルクＴmを十分に低減するように指令ができれば(Ｃ部一点鎖線参照)、本来のＡＴ入力トルクＴiの要求値(Ｄ部破線参照)よりもＡＴ入力トルクＴiが低減されて(Ｄ部実線参照)、ＡＴ入力回転速度ωiが目標値となるように制御されることになる(Ｇ部実線参照)。この際、バッテリ５２の充電可能電力Ｗinが小さくバッテリ５２への充電が制限されている場合には(Ｅ部参照)、ＭＧ２トルクＴmを十分に低減することができない(Ｂ部実線参照)。このような場合、例えば第１回転機ＭＧ１を用いて、エンジン角加速度dωe/dtが目標値通りとなるように変速が進行するときのエンジン回転速度ωeの目標値(破線参照)よりもエンジン回転速度ωeを上昇させることによって(Ｆ部実線参照)、低減する必要があるＡＴ入力トルクＴi分に対してＭＧ２トルクＴmの低減分では低減しきれなかったトルク分に応じた余剰パワー(すなわちバッテリ５２に充電できない電力分に応じた余剰パワー)をイナーシャパワーとして消費させる。これにより、ＡＴ入力トルクＴiを必要な分だけ低減することができ(Ｄ部実線参照)、ＡＴ入力回転速度ωiが目標値となるように制御することができる(Ｇ部実線参照)。しかしながら、エンジン１４が過回転となるおそれがあり、部品耐久性の悪化を招いたり、又は、運転者に違和感を与える可能性がある。
【００６４】
そこで、電子制御装置８０は、有段変速部２０のパワーオンダウンシフト時において、エンジン回転速度ωeが所定回転速度ωefを超える可能性がある場合には、予め要求エンジンパワーＰedem(ここでは要求エンジントルクＴedemも同意)を制限する。これにより、有段変速部２０のパワーオンダウンシフト時において、バッテリ５２への充電が制限されているときであっても、エンジン１４の過回転が防止されつつＡＴ入力トルクＴiを必要な分だけ低減することができる。
【００６５】
具体的には、電子制御装置８０は、上述した予め要求エンジンパワーＰedemを制限する制御機能を実現する為に、更に、車両状態判定手段すなわち車両状態判定部８６、吹き上がり判定手段すなわち吹き上がり判定部８８、及び出力制限手段すなわち出力制限部９０を備えている。
【００６６】
車両状態判定部８６は、車両１０が走行しているときに、有段変速部２０のパワーオンダウンシフト中であるか否かを、例えば油圧制御指令信号Ｓatに基づいて判定する。又、車両状態判定部８６は、有段変速部２０のパワーオンダウンシフトの変速過渡中においてイナーシャ相が開始されたか否かを、例えばＡＴ入力回転速度ωiがダウンシフト後の同期回転速度ωisycaに向けて上昇し始めたか否かに基づいて判定する。又、車両状態判定部８６は、有段変速部２０のパワーオンダウンシフトが完了したか否かを、例えば油圧制御指令信号Ｓatに基づいて判定する。
【００６７】
吹き上がり判定部８８は、車両状態判定部８６により有段変速部２０のパワーオンダウンシフト中であると判定された場合には(つまり有段変速部２０のパワーオンダウンシフト時において)、ハイブリッド制御部８４によりＭＧ２角加速度dωm/dtが目標値となるように制御されるとエンジン回転速度ωeが所定回転速度ωefを超えることが予測されるか否かを判定する。つまり、吹き上がり判定部８８は、有段変速部２０のパワーオンダウンシフト時において(見方を換えれば、有段変速部２０のパワーオンダウンシフトを伴うときの変速機４０のダウンシフト時において)、図１０におけるＦ部実線に示したようなエンジン回転速度ωeの吹き上がりが予測されるか否かを判定する。
【００６８】
ダウンシフトの過渡中にエンジン回転速度ωeがダウンシフト後の同期回転速度ωesyca(＝ωo×変速後の変速機４０の変速比γｔa)を一時的に超えて吹き上がると、ダウンシフトの完了に向けてエンジン回転速度ωeが低下することになり運転者が違和感を感じ易いと考えられる。又は、エンジン回転速度ωeがダウンシフト後の同期回転速度ωesycaを超えて吹き上がることでエンジン１４の過回転が生じ易くなると考えられる。このようなことから、所定回転速度ωefは、例えば有段変速部２０のパワーオンダウンシフト後のエンジン回転速度ωeの同期回転速度ωesycaとされることが適当である。
【００６９】
前述したように、バッテリ５２への充電が制限されている場合に、エンジン回転速度ωeの吹き上がりが発生し易いと考えられる(図１０の比較例参照)。又は、バッテリ５２の充電可能電力Ｗinが小さい程、エンジン回転速度ωeの吹き上がりが発生し易いと考えられる。又は、有段変速部２０のパワーオンダウンシフト前後のエンジン回転速度ωeの変化量Δωe(＝ダウンシフト後の同期回転速度ωesyca−ダウンシフト前の同期回転速度ωesycb(＝ωo×変速前の変速機４０の変速比γｔb))が小さい程、エンジン回転速度ωeの吹き上がりが発生し易いと考えられる。又は、出力回転速度ωo(車速Ｖも同意)が低ければ、エンジン回転速度ωeの変化量Δωeが小さくされる。このようなことから、吹き上がり判定部８８は、ＡＴ入力トルクＴiの基になるＭＧ２トルクＴmを制限する、バッテリパワーＰbatの制限の状態としてのバッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つのパラメータに基づいて、エンジン回転速度ωeが所定回転速度ωefを超えることが予測されるか否かを判定する。
【００７０】
より好適には、吹き上がり判定部８８は、バッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つをパラメータとして、エンジン回転速度ωeが所定回転速度ωefを超えることが予測される状態であることが予め定められた関係(予測マップ)を有している(つまり記憶している)。吹き上がり判定部８８は、その予測マップを用いて、上記パラメータに基づいてエンジン回転速度ωeが所定回転速度ωefを超えることが予測されるか否かを判定する。尚、どのＡＴギヤ段間でのパワーオンダウンシフトであるか(つまりどの模擬ギヤ段間でのダウンシフトであるか)によってダウンシフト前後の変速機４０の変速比γｔの変化量Δγｔ(＝γｔa−γｔb)が異なる。変速機４０の変速比γｔの変化量Δγｔが異なれば、エンジン回転速度ωeの変化量Δωeも異なる。従って、前記予測マップは、どのＡＴギヤ段間でのパワーオンダウンシフトであるかの異なる変速の種類毎に予め定められていても良い。
【００７１】
本実施例では、エンジン回転速度ωeの吹き上がりが発生してからではなく、その吹き上がりが発生しないようにその吹き上がりが発生する前から予め(事前に)要求エンジンパワーＰedemを制限する。エンジン回転速度ωeの吹き上がりが発生する可能性がある期間(見方を換えれば、変速進行側係合装置の伝達トルクＴcbがＡＴ入力トルクＴiに対して不足する可能性がある期間)は、イナーシャ相の開始後の変速過渡期間である。その為、少なくともイナーシャ相の開始前までには、エンジン回転速度ωeの吹き上がりを予測することが望ましい。このようなことから、吹き上がり判定部８８は、有段変速部２０のパワーオンダウンシフトに伴うＡＴ入力回転速度ωiの変化開始前までに(すなわちイナーシャ相の開始前までに)、エンジン回転速度ωeが所定回転速度ωefを超えることが予測されるか否かを判定する。好適には、吹き上がり判定部８８は、有段変速部２０のパワーオンダウンシフトの開始時から、エンジン回転速度ωeが所定回転速度ωefを超えることが予測されるか否かを判定する。
【００７２】
ハイブリッド制御部８４は、吹き上がり判定部８８により有段変速部２０のパワーオンダウンシフト時においてエンジン回転速度ωeが所定回転速度ωefを超えることが予測されないと判定された場合には、要求エンジンパワーＰedemを制限しない状態で変速時基本制御を実行する、通常時制御を実行する。
【００７３】
出力制限部９０は、吹き上がり判定部８８により有段変速部２０のパワーオンダウンシフト時においてエンジン回転速度ωeが所定回転速度ωefを超えることが予測されると判定された場合には、エンジンパワーＰeを所定パワーＰef以下となるように制限する(つまりエンジントルクＴeを所定トルクＴef以下となるように制限する)指令を、ハイブリッド制御部８４へ出力する。ハイブリッド制御部８４は、有段変速部２０のパワーオンダウンシフト時において、出力制限部９０の指令に基づいて、要求エンジンパワーＰedemを制限した状態で変速時基本制御を実行する。
【００７４】
所定パワーＰefは、有段変速部２０のパワーオンダウンシフト時に許容される上限のエンジンパワーＰeであり、エンジン回転速度ωeが所定回転速度ωefを超えないようにする為の要求エンジンパワーＰedemの制限値(上限値)である。所定トルクＴefは、有段変速部２０のパワーオンダウンシフト時に許容される上限のエンジントルクＴeであり、エンジン回転速度ωeが所定回転速度ωefを超えないようにする為の要求エンジントルクＴedemの制限値である。
【００７５】
前述したように、バッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つのパラメータは、エンジン回転速度ωeの吹き上がりの発生し易さに関係する。このようなことから、出力制限部９０は、バッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つのパラメータに基づいて、所定パワーＰefを設定する(つまり所定トルクＴefを設定する)。所定パワーＰef(又は所定トルクＴef)は、例えば有段変速部２０のパワーオンダウンシフト開始時(又は吹き上がり判定部８８による、エンジン回転速度ωeが所定回転速度ωefを超えることが予測されるとの判定時点)における、上記少なくとも１つのパラメータに基づいて設定され、パワーオンダウンシフト中に亘って一律の値が用いられても良い。又は、所定パワーＰef(又は所定トルクＴef)は、有段変速部２０のパワーオンダウンシフト中における、上記少なくとも１つのパラメータに基づいて設定され、パワーオンダウンシフト中に可変とされても良い。
【００７６】
より好適には、出力制限部９０は、バッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つをパラメータとして、エンジン回転速度ωeが所定回転速度ωefを超えない為のエンジンパワーＰe(所定トルクＴefを設定する場合はエンジントルクＴe)の上限値が予め定められた関係(制限値マップ)を有している(つまり記憶している)。出力制限部９０は、その制限値マップを用いて、上記パラメータに基づいて所定パワーＰefを設定する(つまり所定トルクＴefを設定する)。尚、前記制限値マップは、前記予測マップと同様に、どのＡＴギヤ段間でのパワーオンダウンシフトであるかの異なる変速の種類毎に予め定められていても良い。
【００７７】
要求エンジンパワーＰedemの制限は、吹き上がり判定部８８によりエンジン回転速度ωeが所定回転速度ωefを超えることが予測されると判定された時点から実行されれば良いが、例えば少なくとも、エンジン回転速度ωeの吹き上がりが発生する可能性がある期間(すなわちイナーシャ相の開始後の変速過渡期間)で実行されれば良い。従って、出力制限部９０は、エンジンパワーＰeの制限を(つまりエンジントルクＴeの制限を)、例えば有段変速部２０のパワーオンダウンシフトに伴うＡＴ入力回転速度ωiの変化開始時に開始する(すなわち車両状態判定部８６により有段変速部２０のパワーオンダウンシフトの変速過渡中においてイナーシャ相が開始されたと判定された場合に開始する)。
【００７８】
又、要求エンジンパワーＰeの制限は、イナーシャ相の終了時点まで(つまりＡＴ入力回転速度ωiがダウンシフト後の同期回転速度ωisycaと同期したパワーオンダウンシフトの完了時点まで)継続されることが好適である。従って、出力制限部９０は、エンジンパワーＰeの制限を(つまりエンジントルクＴeの制限を)、例えば車両状態判定部８６により有段変速部２０のパワーオンダウンシフトが完了したと判定された場合に終了する。又は、要求エンジンパワーＰeの制限は、エンジン回転速度ωeの吹き上がりが発生する可能性が低くなるまで継続されれば良い。従って、出力制限部９０は、エンジンパワーＰeの制限を(つまりエンジントルクＴeの制限を)、例えば有段変速部２０のパワーオンダウンシフトが完了したときに、又は、そのパワーオンダウンシフトの進行度Ｒproが所定進行度Ｒprofに到達したときに、又は、そのパワーオンダウンシフトの制御開始時から所定時間ＴＭdsf経過したときに、又は、そのパワーオンダウンシフトに伴うＡＴ入力回転速度ωiの変化開始時(すなわちイナーシャ相の開始時)から第２所定時間ＴＭinaf経過したときに、終了する。パワーオンダウンシフトの進行度Ｒproは、パワーオンダウンシフトがどの程度進行したかを表す度合であり、その進行度Ｒproとしては、例えば実際のＡＴ入力回転速度ωiとダウンシフト後の同期回転速度ωisycaとの差回転速度Δωi(＝ωisyca−ωi)、同期回転速度ωisycaに対する実際のＡＴ入力回転速度ωiの割合Ｒωi(＝ωi／ωisyca)などが用いられる。所定進行度Ｒprof、所定時間ＴＭdsf、及び第２所定時間ＴＭinafは、各々、例えば要求エンジンパワーＰeの制限を解除しても、エンジン回転速度ωeの吹き上がりが発生する可能性が低いと又は可能性がないと判断できる為の予め定められた閾値である。
【００７９】
図８は、電子制御装置８０の制御作動の要部すなわち有段変速部２０のパワーオンダウンシフトの際にエンジン１４が過回転となることによる、部品耐久性の悪化、又は、運転者への違和感を防止又は抑制する為の制御作動を説明するフローチャートであり、例えば走行中に繰り返し実行される。図９は、図８のフローチャートに示す制御作動を実行した場合のタイムチャートの一例である。
【００８０】
図８において、先ず、車両状態判定部８６の機能に対応するステップ(以下、ステップを省略する)Ｓ１０において、有段変速部２０のパワーオンダウンシフト中であるか否かが判定される。このＳ１０の判断が否定される場合は本ルーチンが終了させられる。このＳ１０の判断が肯定される場合は吹き上がり判定部８８の機能に対応するＳ２０において、ＭＧ２角加速度dωm/dtが目標値となるように制御されるとエンジン回転速度ωeが所定回転速度ωefを超えることが予測されるか否かが判定される。このＳ２０の判断が否定される場合はハイブリッド制御部８４の機能に対応するＳ３０において、通常の有段変速部２０のパワーオンダウンシフト時における制御(すなわち要求エンジンパワーＰedemを制限しない状態で変速時基本制御を実行する、通常時制御)が実行される(図７参照)。上記Ｓ２０の判断が肯定される場合は出力制限部９０及びハイブリッド制御部８４の機能に対応するＳ４０において、エンジンパワーＰeが所定パワーＰef以下となるように制限され、要求エンジンパワーＰedemが制限された状態で変速時基本制御が実行される。次いで、車両状態判定部８６の機能に対応するＳ５０において、有段変速部２０のパワーオンダウンシフトが完了(終了)したか否かが判定される。このＳ５０の判断が否定される場合は上記Ｓ４０が実行される。このＳ５０の判断が肯定される場合は出力制限部９０及びハイブリッド制御部８４の機能に対応するＳ６０において、要求エンジンパワーＰedemの制限が終了(解除)される。
【００８１】
図９において、ｔ１時点は、パワーオンダウンシフトが判断された時点を示している(ＡＴギヤ段の破線参照)。ｔ２時点は、パワーオンダウンシフトの変速出力が開始された時点を示している(ＡＴギヤ段の実線参照)。ｔ３時点は、イナーシャ相が開始された時点を示している。ｔ４時点は、ＡＴ入力回転速度ωiがダウンシフト後の同期回転速度ωisycaと略同期した時点を示している。バッテリ５２の充電可能電力Ｗinが小さくバッテリ５２への充電が制限されている為にＭＧ２トルクＴmを十分に低減することができない場合、エンジン回転速度ωeの目標値よりもエンジン回転速度ωeを上昇させることによってＡＴ入力回転速度ωiが目標値となるように制御するという実施態様(前述の図１０に示した実施態様参照)に替えて、エンジン１４への要求エンジンパワーＰedemを予め制限しておくことで(Ａ部参照)、低減する必要があるＡＴ入力トルクＴi分に対してＭＧ２トルクＴmの低減分では低減しきれなかったトルク分に応じた余剰パワーが抑制又はなくされる。これにより、エンジン回転速度ωeを上昇させることなく(Ｂ部参照)、ＡＴ入力トルクＴiを必要な分だけ低減することができ(Ｃ部参照)、ＡＴ入力回転速度ωiが目標値となるように制御することができる(Ｄ部実線参照)。
【００８２】
上述のように、本実施例によれば、有段変速部２０のパワーオンダウンシフト時において、ＭＧ２角加速度dωm/dtを目標値に制御するとエンジン回転速度ωeが所定回転速度ωefを超えることが予測される場合には、エンジンパワーＰeが所定パワーＰef以下となるように制限される(つまりエンジントルクＴeが所定トルクＴef以下となるように制限される)ので、差動機構３２と有段変速部２０とを直列に備える車両１０において、エンジン１４を過回転させることなくパワーオンダウンシフトを実行させることができる。よって、有段変速部２０のパワーオンダウンシフトの際に、エンジン１４が過回転となることによる、部品耐久性の悪化、又は、運転者への違和感を防止又は抑制することができる。
【００８３】
また、本実施例によれば、バッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つに基づいて、エンジン回転速度ωeが所定回転速度ωefを超えることが予測されるか否かが判定されるので、パワーオンダウンシフト中にエンジン回転速度ωeが所定回転速度ωefを超えることが適切に予測される。
【００８４】
また、本実施例によれば、所定回転速度ωefは、有段変速部２０のパワーオンダウンシフト後のエンジン回転速度ωeの同期回転速度ωesycaであるので、エンジン回転速度ωeがその同期回転速度ωesycaを超えるようなエンジン回転速度ωeの吹き上がりが発生する(つまりエンジン１４の過回転が発生する)ことが予測されるか否かが判定される。
【００８５】
また、本実施例によれば、バッテリ５２の充電可能電力Ｗin、有段変速部２０のパワーオンダウンシフト時におけるエンジン回転速度ωeの変化量Δωe、及び出力回転速度ωo(又は車速Ｖ)のうちの少なくとも１つに基づいて、所定パワーＰefが設定される(つまり所定トルクＴefが設定される)ので、エンジン１４を過回転させることなくパワーオンダウンシフトを適切に実行させることができる。
【００８６】
また、本実施例によれば、エンジンパワーＰeの制限が(つまりエンジントルクＴeの制限が)、有段変速部２０のパワーオンダウンシフトに伴うＡＴ入力回転速度ωiの変化開始時に開始されるので、エンジン１４を過回転させることなくパワーオンダウンシフトを適切に実行させることができる。
【００８７】
また、本実施例によれば、エンジンパワーＰeの制限が(つまりエンジントルクＴeの制限が)、有段変速部２０のパワーオンダウンシフトが完了したときに、又は、そのパワーオンダウンシフトの進行度Ｒproが所定進行度Ｒprofに到達したときに、又は、そのパワーオンダウンシフトの制御開始時から所定時間ＴＭdsf経過したときに、又は、そのパワーオンダウンシフトに伴うＡＴ入力回転速度ωiの変化開始時(すなわちイナーシャ相の開始時)から第２所定時間ＴＭinaf経過したときに、終了させられるので、エンジン１４の過回転が発生する可能性のある間は適切にエンジンパワーＰeが制限される(つまりエンジントルクＴeが制限される)。見方を換えれば、エンジン１４の過回転が発生する可能性が低くなれば、要求された通りにエンジンパワーＰeが出力され易くなる(つまりエンジントルクＴeが出力され易くなる)。
【００８８】
以上、本発明の実施例を図面に基づいて詳細に説明したが、本発明はその他の態様においても適用される。
【００８９】
例えば、前述の実施例では、無段変速部１８と有段変速部２０とを直列に備える車両１０を例示したが、この態様に限らない。例えば、図１１に示すような車両１００であっても良い。車両１００は、動力源として機能するエンジン１０２及び回転機ＭＧと、動力伝達装置１０４とを備えたハイブリッド車両である。図１１において、動力伝達装置１０４は、車体に取り付けられる非回転部材としてのケース１０６内において、エンジン１０２側から順番に、クラッチＫ０、トルクコンバータ１０８、及び有段変速機１１０等を備えている。又、動力伝達装置１０４は、差動歯車装置１１２、車軸１１４等を備えている。トルクコンバータ１０８のポンプ翼車１０８ａは、クラッチＫ０を介してエンジン１０２と連結されていると共に、直接的に回転機ＭＧと連結されている。トルクコンバータ１０８のタービン翼車１０８ｂは、有段変速機１１０と直接的に連結されている。動力伝達装置１０４において、エンジン１０２の動力及び／又は回転機ＭＧの動力は、クラッチＫ０(エンジン１０２の動力を伝達する場合)、トルクコンバータ１０８、有段変速機１１０、差動歯車装置１１２、車軸１１４等を順次介して車両１００が備える駆動輪１１６へ伝達される。有段変速機１１０は、前記動力源(エンジン１０２、回転機ＭＧ)と駆動輪１１６との間の動力伝達経路の一部を構成すると共に複数の係合装置が選択的に係合されることで変速が実行される自動変速機である。又、車両１００は、インバータ１１８と、インバータ１１８を介して回転機ＭＧに対して電力を授受する蓄電装置としてのバッテリ１２０と、制御装置１２２とを備えている。制御装置１２２は、有段変速機１１０の変速時、有段変速機１１０の入力回転部材である入力軸１２４の回転状態を表す値が目標値となるように、エンジントルクＴeと前記係合装置の伝達トルクとに基づいてＡＴ入力トルクＴiを制御する。入力軸１２４の回転状態を表す値は、例えば入力軸１２４の回転速度であるＡＴ入力回転速度ωi、又は、入力軸１２４の角加速度であるＡＴ入力角加速度dωi/dtなどである。要は、動力源として機能するエンジン及び回転機と、その動力源と駆動輪との間の動力伝達経路の一部を構成すると共に複数の係合装置が選択的に係合されることで変速が実行される自動変速機と、その回転機に対して電力を授受する蓄電装置とを備えたハイブリッド車両であれば、本発明を適用することができる。尚、車両１００では、流体式伝動装置としてトルクコンバータ１０８が用いられているが、トルク増幅作用のない流体継手などの他の流体式伝動装置が用いられても良い。又、トルクコンバータ１０８は、必ずしも設けられなくても良いし、或いは、単なるクラッチに置き換えられても良い。
【００９０】
また、前述の実施例における変速機４０の変速時基本制御(例えば前記式(１)を用いた変速制御)は、有段変速部２０の変速を伴うときの変速機４０の模擬有段変速制御時の他に、変速機４０全体として無段変速機として作動させているときの有段変速部２０の変速制御時にも適用することができる。
【００９１】
また、前述の実施例では、有段変速部２０は、前進４段の各ＡＴギヤ段が形成される遊星歯車式の自動変速機であったが、この態様に限らない。例えば、有段変速部２０は、複数の係合装置が選択的に係合されることで変速が実行される自動変速機であれば良い。このような自動変速機としては、有段変速部２０のような遊星歯車式の自動変速機でも良いし、又は、同期噛合型平行２軸式自動変速機であって入力軸を２系統備えて各系統の入力軸に係合装置(クラッチ)がそれぞれつながり更にそれぞれ偶数段と奇数段へと繋がっている型式の変速機である公知のＤＣＴ(Dual Clutch Transmission)などの自動変速機であっても良い。ＤＣＴの場合には、所定の係合装置は、２系統の各入力軸にそれぞれつながる係合装置が相当する。
【００９２】
また、前述の実施例では、変速機４０全体として有段変速機のように変速させる場合、模擬ギヤ段変速マップを用いて模擬ギヤ段を切り替えたが、この態様に限らない。例えば、シフトレバー５６やアップダウンスイッチ等による運転者の変速指示に従って変速機４０の模擬ギヤ段を切り替えるものでも良い。
【００９３】
また、前述の実施例では、４種類のＡＴギヤ段に対して１０種類の模擬ギヤ段を割り当てる実施態様を例示したが、この態様に限らない。好適には、模擬ギヤ段の段数はＡＴギヤ段の段数以上であれば良く、ＡＴギヤ段の段数と同じであっても良いが、ＡＴギヤ段の段数よりも多いことが望ましく、例えば２倍以上が適当である。ＡＴギヤ段の変速は、中間伝達部材３０やその中間伝達部材３０に連結される第２回転機ＭＧ２の回転速度が所定の回転速度範囲内に保持されるように行なうものであり、又、模擬ギヤ段の変速は、エンジン回転速度ωeが所定の回転速度範囲内に保持されるように行なうものであり、それら各々の段数は適宜定められる。
【００９４】
また、前述の実施例では、差動機構３２は、３つの回転要素を有するシングルピニオン型の遊星歯車装置の構成であったが、この態様に限らない。例えば、差動機構３２は、複数の遊星歯車装置が相互に連結されることで４つ以上の回転要素を有する差動機構であっても良い。又、差動機構３２は、ダブルプラネタリの遊星歯車装置であっても良い。又、差動機構３２は、エンジン１４によって回転駆動されるピニオンと、そのピニオンに噛み合う一対のかさ歯車に第１回転機ＭＧ１及び中間伝達部材３０が各々連結された差動歯車装置であっても良い。
【００９５】
尚、上述したのはあくまでも一実施形態であり、本発明は当業者の知識に基づいて種々の変更、改良を加えた態様で実施することができる。
【符号の説明】
【００９６】
１０：車両(ハイブリッド車両)
１４：エンジン
２０：機械式有段変速部(自動変速機)
２８：駆動輪
３０：中間伝達部材(自動変速機の入力回転部材)
３２：差動機構
ＣＡ０：キャリア(第１回転要素)
Ｓ０：サンギヤ(第２回転要素)
Ｒ０：リングギヤ(第３回転要素)
５２：バッテリ(蓄電装置)
８０：電子制御装置(制御装置)
８２：ＡＴ変速制御部(変速制御部)
８４：ハイブリッド制御部
８８：吹き上がり判定部
９０：出力制限部
ＣＢ：係合装置
ＭＧ１：第１回転機
ＭＧ２：第２回転機(回転機)
１００：車両(ハイブリッド車両)
１０２：エンジン
１１０：有段変速機(自動変速機)
１１６：駆動輪
１２０：バッテリ(蓄電装置)
１２２：制御装置
１２４：入力軸(自動変速機の入力回転部材)
ＭＧ：回転機
【図１】
2018099946.tif 000004
【図２】
2018099946.tif 000005
【図３】
2018099946.tif 000006
【図４】
2018099946.tif 000007
【図５】
2018099946.tif 000008
【図６】
2018099946.tif 000009
【図７】
2018099946.tif 000010
【図８】
2018099946.tif 000011
【図９】
2018099946.tif 000012
【図１０】
2018099946.tif 000013
【図１１】
2018099946.tif 000014